(57)【特許請求の範囲】
【請求項１】
購入者の端末より、当該購入者が指定した宝くじ券の少なくとも組・番号の組み合わせの一部を示す購入条件の情報を受信する受付管理部と、
予め、下一桁が０〜９の１０枚の宝くじ券であって組・番号の非連番な宝くじ券を含む券組毎に、組・番号の組み合わせを記憶する宝くじデータベースと、
前記購入条件の情報で示される組・番号の組み合わせと前記宝くじデータベースから順次読取った券組毎の組・番号の組み合わせとを比較して、一致する場合の前記読取った組・番号の組み合わせの券組を、前記購入条件の情報で示される組・番号の組み合わせを含む券組と判断し、前記購入条件の情報で示される組・番号の組み合わせと合致する券組が複数存在する場合には、それぞれの券組の含む前記購入条件に合致する組・番号を比較して、最も小さい組・番号を含む券組を、前記購入者へ販売する券組と決定する現物管理部と、
を備えることを特徴とする宝くじ販売装置。
【請求項２】
購入者の端末より、当該購入者が指定した宝くじ券の少なくとも組・番号の組み合わせの一部を示す購入条件の情報を受信する受付管理部と、
予め、下一桁が０〜９の１０枚の宝くじ券であって組・番号の非連番な宝くじ券を含む券組毎に、組・番号の組み合わせを記憶する宝くじデータベースと、
前記購入条件の情報で示される組・番号の組み合わせと前記宝くじデータベースから順次読取った券組毎の組・番号の組み合わせとを比較して、一致する場合の前記読取った組・番号の組み合わせの券組を、前記購入条件の情報で示される組・番号の組み合わせを含む券組と判断する現物管理部と、を備え、
前記現物管理部は、前記購入条件の情報で示される組・番号の組み合わせを含む全ての券組の情報を前記端末へ通知し、その後前記端末より受付けた券組の情報を、前記購入者へ販売する券組と決定する
ことを特徴とする宝くじ販売装置。
【請求項３】
購入者の端末とネットワークを介して接続された宝くじ販売装置における宝くじ販売方法であって、
前記宝くじ販売装置の受付管理部が、購入者の端末より、当該購入者が指定した宝くじ券の少なくとも組・番号の組み合わせの一部を示す購入条件の情報を受信し、
前記宝くじ販売装置の宝くじデータベースが、予め、下一桁が０〜９の１０枚の宝くじ券であって組・番号の非連番な宝くじ券を含む券組毎に、組・番号の組み合わせを記憶し、
前記宝くじ販売装置の現物管理部が、前記購入条件の情報で示される組・番号の組み合わせと前記宝くじデータベースから順次読取った券組毎の組・番号の組み合わせとを比較して、一致する場合の前記読取った組・番号の組み合わせの券組を、前記購入条件の情報で示される組・番号の組み合わせを含む券組と判断し、前記購入条件の情報で示される組・番号の組み合わせと合致する券組が複数存在する場合には、それぞれの券組の含む前記購入条件に合致する組・番号を比較して、最も小さい組・番号を含む券組を、前記購入者へ販売する券組と決定する
ことを特徴とする宝くじ販売方法。
【請求項４】
購入者の端末とネットワークを介して接続された宝くじ販売装置における宝くじ販売方法であって、
前記宝くじ販売装置の受付管理部が、購入者の端末より、当該購入者が指定した宝くじ券の少なくとも組・番号の組み合わせの一部を示す購入条件の情報を受信し、
前記宝くじ販売装置の宝くじデータベースが、予め、下一桁が０〜９の１０枚の宝くじ券であって組・番号の非連番な宝くじ券を含む券組毎に、組・番号の組み合わせを記憶し、
前記宝くじ販売装置の現物管理部が、前記購入条件の情報で示される組・番号の組み合わせと前記宝くじデータベースから順次読取った券組毎の組・番号の組み合わせとを比較して、一致する場合の前記読取った組・番号の組み合わせの券組を、前記購入条件の情報で示される組・番号の組み合わせを含む券組と判断し、
前記現物管理部は、さらに、前記購入条件の情報で示される組・番号の組み合わせを含む全ての券組の情報を前記端末へ通知し、その後前記端末より受付けた券組の情報を、前記購入者へ販売する券組と決定する
ことを特徴とする宝くじ販売方法。
【発明の詳細な説明】
【０００１】
【発明の属する技術分野】
この発明は、通信ネットワーク上のコンピュータシステムに係り、特に、通信ネットワーク経由での宝くじ購入を可能にした宝くじ販売装置及び宝くじ販売方法に関するものである。
【０００２】
【従来の技術】
特願２００２−０８３９９６の通信ネットワーク上の宝くじ販売装置においては、利用登録をしている会員（購入者）が、宝くじ販売装置にアクセスして、普通宝くじを購入する際に、好きな宝くじ券の組と番号の一部と購入枚数を指定し、そして、宝くじ販売装置が会員の指定した宝くじ券の組と番号からなる購入条件の指定に基づいた宝くじ券をデータベースから購入枚数分だけ抽出し、会員に宝くじ券を販売する技術が提案されている。
【０００３】
【発明が解決しようとする課題】
しかしながら、上述の宝くじ販売装置にあっては、会員が指定した購入条件に基づいて、宝くじ販売装置はリアルタイムにデータベースを検索し宝くじ券を抽出して、宝くじ券の組み合わせを決定するので、大変な処理負荷がかかってしまう。
そこでこの発明は、予め販売できる宝くじ券の組み合わせ（券組）を決定して記憶しておき、会員の指定した購入条件に当てはまる券組のみを販売することで処理負荷を減らす機能を備えた宝くじ販売装置及び宝くじ販売方法を提供することを目的としている。
【０００４】
【課題を解決するための手段】
本発明は、上述の課題を解決すべくなされたもので、購入者の端末より、当該購入者が指定した宝くじ券の少なくとも組・番号の組み合わせの一部を示す購入条件の情報を受信する受付管理部と、予め、販売する宝くじ券の券組毎に当該券組の枚数分の宝くじ券の組・番号の組み合わせを対応付けて記憶する宝くじデータベースと、前記宝くじデータベースの予め記憶する組・番号の組み合わせの券組のうち、前記購入条件の情報で示される組・番号の組み合わせと合致する券組を、前記購入条件の情報で示される組・番号の組み合わせと前記宝くじデータベースに記憶されている券組毎の組・番号の組み合わせとの比較の処理に基づいて判断し、前記購入条件の情報で示される組・番号の組み合わせと合致する券組が複数存在する場合には所定の販売ルールに基づいてその複数の券組の中から前記購入者へ販売する少なくとも一つの券組を決定する現物管理部と、を備えることを特徴とする宝くじ販売装置である。
【０００５】
また本発明は、前記現物管理部が、前記購入条件の情報で示される組・番号の組み合わせを含む券組の情報を前記端末へ通知し、その後前記端末より受付けた、購入判断の情報に基づいて、前記通知した券組の情報を、前記購入者へ販売する券組と決定することを特徴とする。
【０００６】
また本発明は、購入者の端末とネットワークを介して接続された宝くじ販売装置における宝くじ販売方法であって、前記宝くじ販売装置の受付管理部が、購入者の端末より、当該購入者が指定した宝くじ券の少なくとも組・番号の組み合わせの一部を示す購入条件の情報を受信し、前記宝くじ販売装置の宝くじデータベースが、予め、販売する宝くじ券の券組毎に当該券組の枚数分の宝くじ券の組・番号の組み合わせを対応付けて記憶し、前記宝くじ販売装置の現物管理部が、前記宝くじデータベースの記憶する組・番号の組み合わせの券組のうち、前記購入条件の情報で示される組・番号の組み合わせと合致する券組を、前記購入条件の情報で示される組・番号の組み合わせと前記宝くじデータベースに記憶されている券組毎の組・番号の組み合わせとの比較の処理に基づいて判断し、前記購入条件の情報で示される組・番号の組み合わせと合致する券組が複数存在する場合には所定の販売ルールに基づいてその複数の券組の中から前記購入者へ販売する少なくとも一つの券組を決定することを特徴とする宝くじ販売方法である。
また本発明は、上述の宝くじ販売方法において、前記現物管理部は、前記購入条件の情報で示される組・番号の組み合わせを含む券組の情報を前記端末へ通知し、その後前記端末より受付けた、購入判断の情報に基づいて、前記通知した券組の情報を、前記購入者へ販売する券組と決定することを特徴とする。
【０００７】
【発明の実施の形態】
以下、本発明の一実施形態による宝くじ販売装置を用いた宝くじ販売システムを図面を参照して説明する。
図１は、同宝くじ販売システムの構成を示す概略ブロック図である。この図において、符号１は宝くじの販売処理を行う宝くじモール・サイト（宝くじ販売装置）である。２は通信網を介して宝くじモール・サイト１に接続されたインターネット・バンキング・システムなどから成る電子決済サーバであり、会員（購入者）より受付けた宝くじの購入の電子決済を受付ける。電子決済サーバ２は図１のように専用回線などの通信網を介して宝くじモール・サイト１に接続する代わりに、インターネット４を介して宝くじモール・サイト１と接続してもよい。３は宝くじモール・サイト１にアクセスして宝くじの購入を行う会員の端末である。会員端末３は実際には複数存在しているが、図１においては代表的に一つのみ示している。４は宝くじモール・サイト１と会員端末３を接続するインターネット網である。
【０００８】
宝くじモール・サイト１は、インターネット４上の独立した機能単位であって、インターネット上に複数存在しても良く、例えば、全国に実在する宝くじ売り場各々が、独自にインターネット４上に開設してもよい。そして、この宝くじモール・サイト１において、１１は会員端末３からのアクセスを受付ける受付管理部である。１２は当せん宝くじに関するデータを管理する当せん管理部である。１３は宝くじモール・サイト１で保管する宝くじの種類および枚数と、販売前に予め決定し宝くじデータベースで保持している宝くじ券の組み合わせ（以降、券組と呼ぶ）の情報を管理する現物管理部である。１４は会員宛て文書の作成及び送付を行う文書作成／送付部である。１５は会員の情報（氏名、年齢、会員番号、パスワード、メールアドレス等）を記憶する会員ＤＢ（データベース）である。１６は宝くじ券の券組と、会員毎の宝くじ購入申込みデータと当せん結果データを記憶する宝くじＤＢである。１７は宝くじ購入申込みに伴う決済および宝くじ当せんに伴う決済を電子決済サーバ２に指示する決済管理部である。
【０００９】
次に、上述した宝くじ販売システムの動作を図１〜図５を参照しながら詳細に説明する。図２は本実施形態における宝くじの購入処理を示すフローチャートである。
ここで、上述の宝くじモール・サイト１における宝くじＤＢ１６は、予め販売する券組を複数に保持している。この券組の情報はこの宝くじモール・サイト１の現物管理部１３が生成するが、宝くじＤＢ１６は、例えば１組〜７０組までの組における宝くじ券を連番で券組にして保持しているとする。そして各組では１０００００〜１９９９９９までの番号が存在し、順番に１０００００〜１００００９、１０００１０〜１０００１９、１０００２０〜１０００２９というように、１０枚ずつ含まれた券組を保持しているとする。また例えば、７０組〜９９組までの組における宝くじ券をバラ（非連番）で券組にして保持しているとする。この券組に含まれる宝くじ券は組が揃っていない。また、番号の下一桁は０〜９の番号が１０枚含まれているが、番号は非連番となっている。
【００１０】
まず、宝くじモール・サイト１がインターネット上に開設する宝くじ購入のＷｅｂサイトへ、会員が端末３よりアクセスを行う。会員からのアクセスは受付管理部１１が、インターネット４を介して受付ける（ステップＳ１）。そして受付管理部１１は、会員の端末３に会員番号およびパスワードを入力する画面を表示し、会員からの入力を受ける。会員の会員番号とパスワードは会員ＤＢ１５に記憶しているので、受付管理部１１は、受付けた会員番号とパスワードの照合を会員ＤＢ１５上で行い、会員番号とパスワードの組み合わせが正常であれば会員のログインを許可する。
【００１１】
次に、受付管理部１１は、宝くじモール・サイト１で購入できる宝くじの選択と購入条件の指定ができる購入申込み画面（図３）を会員の端末３に提示する（ステップＳ２）。この購入申込み画面では宝くじモール・サイト１の宝くじＤＢ１６に保持されている幾つかの宝くじの種類を選択することができる。また、指定した宝くじの組と、番号と、購入枚数と、「連番」か「バラ」かの指定とを行うことが出来る。尚、購入枚数は指定できる枚数が限定されている。通常、宝くじ券は１０枚毎に券組がされているが、この購入申込み画面においても１０枚単位での購入申込みが可能となるように購入申込み画面が設定されている。
【００１２】
次に、会員が端末３に提示された購入申込み画面より宝くじの購入条件を指定するが、この時、宝くじを「全国自治宝くじ」、組を「６８」、番号の下四桁を「４６３２」、購入枚数を「１０」と指定し、「連番」をチェックしてＯＫのボタンをクリックするとする。会員が購入申込み画面より指定した購入条件はインターネット４を介して宝くじモール・サイト１の受付管理部１１が受信し、購入条件を現物管理部１３に転送する（ステップＳ３）。
【００１３】
現物管理部１３は購入条件を受付け、その購入条件に適合する宝くじの券の券組が宝くじＤＢ１６に存在するかどうかを確認する。会員は、宝くじを「全国自治宝くじ」、組を「６８」、番号の下四桁を「４６３２」、購入枚数を「１０」と指定し、また「連番」をチェックしているので、現物管理部１３は宝くじＤＢ１６における全国自治宝くじの項目で連番のデータを確認し、組が「６８」、番号の下四桁が「４６３２」の宝くじ券が含まれるの券組が存在するかどうかを確認する（ステップＳ４）。
【００１４】
ここで、組が「６８」で番号の下四桁が「４６３２」の宝くじ券を含む券組が宝くじＤＢ１６に複数存在していたとする。また、現物管理部１３に会員の購入条件に合致する券組が複数存在していた場合には、宝くじＤＢ１６に存在していた購入条件に合致する宝くじ券の組と番号を判断し、その一番小さな値の含まれる券組から先に販売をしていくというルールが設定されているとする。この場合、組は「６８」として決定しているので、現物管理部１３は下四桁の４６３２という番号で一番小さな番号が含まれている券組を販売する券組として決定する（ステップＳ５）。そして、例えば「１０４６３２」と「１１４６３２」の番号の宝くじ券が含まれる２つの券組が宝くじＤＢ１６に残っているとすると、現物管理部１３は「１０４６３２」の番号の宝くじ券が含まれる券組を販売すると決定することになる。
【００１５】
次に、現物管理部１３は１０４６３２の宝くじ券を含んだ券組の情報を受付管理部１１に通知する。そして、受付管理部１１が会員の端末３に券組一覧画面（図４）を提示する。そして会員より、決定した券組での購入がＯＫかどうかの判断を受ける（ステップＳ６）。会員が端末３に提示された宝くじ券の券組一覧画面を確認して購入を承諾し、ＯＫのボタンをクリックすると、その情報を受付管理部１１が受信する。すると、受付管理部１１は会員の宝くじ購入に関する代金の決済を行う様に決済管理部１７に通知する。そして決済管理部１７が電子決済サーバ２に電子決済の為の金額や会員の情報を送信し、電子決済サーバ２において購入代金の電子決済が実行される（ステップＳ７）。
【００１６】
次に、受付管理部１１は会員の端末３に購入申込みの受付け完了を通知すると共に、現物管理部１３に対して、販売した宝くじの券組を宝くじＤＢ１６から消し込むよう指示する。そして、現物管理部１３が宝くじＤＢ１６から販売した宝くじ券の券組を消しこむ（ステップＳ８）。
【００１７】
次に、受付管理部１１は、文書作成／送付部１４に対し「宝くじ購入明細書」を作成して会員の端末３に送付するよう指示する。文書作成／送付部１４は「宝くじ購入明細書」を電子化ドキュメントとして作成し、会員ＤＢ１５に格納された会員のメールアドレス宛にインターネット４を介して送付する（ステップＳ９）。ここで必要に応じて「宝くじ購入明細書」をハード・コピーとして会員に郵送しても良い。また「宝くじ購入明細書」の内容は、宝くじＤＢ１６にも格納される。尚、会員が購入した「普通宝くじ」の現物は「保護預り」として宝くじモール・サイト１を運営するプロバイダが管理するか、または会員の希望に応じて郵送などにより会員に配送しても良い。
【００１８】
ステップＳ４において、会員が指定した購入条件に合致する宝くじ券を含んだ券の組み合わせが宝くじＤＢ１６に存在しない場合には、現物管理部１３はその旨を受付管理部１１に通知し、受付管理部１１が会員の端末３に購入条件に合致する宝くじ券の販売ができない旨を通知する。そして受付管理部１１は会員の端末に購入条件を変更するかもしくは購入申込みを止めて終了するかの確認画面（図５）を提示し、購入条件の変更をするかどうか確認する（ステップＳ１０）。この画面において会員が変更ボタンをクリックした場合には、再度ステップＳ３に戻り、受付管理部１１が購入申込み画面を会員の端末３に提示して再び購入条件の入力を受付ける。
【００１９】
また、ステップＳ６において会員が端末３に提示された宝くじ券の券組一覧画面を確認した後に購入を承諾せず、変更ボタンをクリックした場合にも、受付管理部１１は会員の端末に購入条件を変更するかもしくは購入申込みを止めて終了するかの確認画面（図５）を提示し、購入条件の変更をするかどうか確認する（ステップＳ１０）。この画面において会員が変更ボタンをクリックした場合には、再度ステップＳ３に戻り、受付管理部１１が購入申込み画面を会員に提示して再び購入条件の入力を受付ける。
【００２０】
尚、上述の実施形態において現物管理部１３は、会員の指定した購入条件に合致する券組が宝くじＤＢ１６に複数存在していた場合、その購入条件に当てはまる宝くじ券の一番小さな番号の宝くじ券が含まれる券組から先に販売をしていくというルールを適用し、そのルールが適用された券組を会員に販売する券組として決定したが、現物管理部１３は、購入条件に当てはまる宝くじ券が含まれた券組全てを会員の端末に提示して、その中から会員による券組の指定を受付けるようにしても良い。
【００２１】
【発明の効果】
以上説明したように、この発明によれば、予め販売できる宝くじ券の組み合わせ（券組）を決定し、宝くじＤＢに保持して、購入者の指定した購入条件に当てはまる券組のみを販売する機能を備えたので、宝くじ販売装置は、購入者の指定した購入条件に基づいた券組が宝くじＤＢに存在するかどうかを確認するだけの処理となるので、購入者の購入条件に基づいて新たに券組を行う処理に比べて処理を高速化する事ができ、また。宝くじ販売装置に対する負荷を軽減することが出来る。
【図面の簡単な説明】
【図１】  この発明の一実施形態による宝くじ販売システムの構成を示す概略ブロック図である。
【図２】  同実施形態における宝くじの購入処理を示すフローチャートである。
【図３】  同実施形態において宝くじモール・サイト１で購入できる宝くじの選択と購入条件の指定ができる購入申込み画面を示す図である。
【図４】  同実施形態において現物管理部１３が販売を決定した宝くじ券の券組の券組一覧画面である。
【図５】  同実施形態において購入条件を変更するかもしくは購入申込みを止めて終了するかの確認をする確認画面である。
【符号の説明】
１  宝くじモール・サイト
２  電子決済サーバ
３  端末
４  インターネット
１１  受付管理部
１２  当せん管理部
１３  現物管理部
１４  文書作成／送付部
１５  会員ＤＢ
１６  宝くじＤＢ
１７  決済管理部
【図１】
0003975146.tif 000002
【図２】
0003975146.tif 000003
【図３】
0003975146.tif 000004
【図４】
0003975146.tif 000005
【図５】
0003975146.tif 000006